(57)【要約】【課題】  ユーザに煩雑な操作をさせることなく、各地域に応じた機能の設定を行うことができる電子装置、及び電子装置システムを提供する。【解決手段】  車載機器１００は、地域情報が記憶されたＳＤカード、ＵＳＢメモリ、又は不揮発性ＲＯＭなどのメモリを備えるポータブル機器１０の装着が可能である。車載機器１００の制御部１４０は、ポータブル機器１０のメモリから地域情報を取得し、取得した地域情報に応じて車載機器１００の機能（チャンネルのボタン（プリセットボタン）に割り当てられた周波数の設定、及びＡＭ／ＦＭラジオの周波数帯、シークステップ、シーク感度、及びボタンに割り当てられる機能等）の設定を切り換える。【選択図】      図１２
2008191016.tif 000002
【特許請求の範囲】
【請求項１】
地域情報が記憶された地域情報記憶手段を備えるポータブル電子装置を装着可能な電子装置において、
前記地域情報記憶手段から前記地域情報を取得する取得手段と、
前記取得手段により取得した地域情報に応じて機能の設定を切り換える切換手段と
を備えることを特徴とする電子装置。
【請求項２】
地域情報と、ボタンに割り当てられる機能の設定とを関連付けて記憶する記憶手段を備え、
前記切換手段は、前記ボタンに割り当てられる機能の設定を、前記取得手段により取得した地域情報と、前記記憶手段に記憶された地域情報とが一致する機能の設定に切り換えることを特徴とする請求項１記載の電子装置。
【請求項３】
地域情報と、ラジオ機能の設定とを関連付けて記憶する記憶手段を、更に備え、
前記切換手段は、前記ラジオ機能の設定を、前記取得手段により取得した地域情報と、前記記憶手段に記憶された地域情報とが一致する機能の設定に切り換えることを特徴とする請求項１又は２に記載の電子装置。
【請求項４】
前記ラジオ機能の設定は、ラジオの周波数帯、シークステップ及びシーク感度の設定のうち少なくとも１つを含むことを特徴とする請求項３記載の電子装置。
【請求項５】
前記ポータブル電子装置は、ナビゲーション機能を備えるポータブルナビゲーターであり、
前記地域情報は、前記ナビゲーション機能で使用される地図情報の地域を示す情報であることを特徴とする請求項１乃至４のいずれか１項記載の電子装置。
【請求項６】
地域情報を記憶する地域情報記憶手段を備えるポータブル電子装置と、
前記ポータブル電子装置が装着可能な電子装置とを備え、
前記電子装置は、
前記地域情報記憶手段から前記地域情報を取得する取得手段と、
前記取得手段により取得した地域情報に応じて機能の設定を切り換える切換手段と
備えることを特徴とする電子装置システム。
【請求項７】
地域情報を記憶する地域情報記憶手段と、
前記地域情報記憶手段から前記地域情報を取得する取得手段と、
前記取得手段により取得した地域情報に応じて機能の設定を切り換える切換手段と
を備えることを特徴とする電子装置。
【発明の詳細な説明】
【技術分野】
【０００１】
本発明は、電子装置、及びポータブル電子装置と当該ポータブル電子装置を装着可能な電子装置とを有する電子装置システムに関する。
【背景技術】
【０００２】
従来のナビゲーション装置として、パーソナルナビゲーションデバイスと呼ばれる、簡易的ではあるが可搬性を持った小型のポータブルナビゲーション装置（以下、ポータブルナビと呼ぶ）と、車両のダッシュボードに形成された凹部（ＤＩＮ開口）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１〜４は、車両に搭載された車載機器からナビゲーション部を着脱可能とする構成が開示されている。車載機器からナビゲーション部を取り外すことで、ナビゲーション部をポータブルナビとして単体で使用することが可能となる。
【０００５】
また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００６】
しかしながら、上記特許文献１〜５には、車載機器に装着されたナビゲーション部が使用される地域、例えば国等に応じて、車載機器が有するボタン等の機能の設定を変更する構成は開示も示唆もされていない。
【０００７】
例えば、欧州ではＲＤＳ（ラジオ・データ・システム）という特殊なラジオ機能が存在する。
【０００８】
メーカが米国向、欧州向等、仕向地に応じた仕様の機器を個別に販売すると、ユーザが、機器を使用する地域を変更した場合、その地域独自の機能を使用することができない、また逆に、使用できない機能が動作してしまうという課題がある。
【０００９】
この課題を解決するために、メーカが全仕向地に対応する機能を有する機器を販売すると、ユーザは、使用する地域に合うように機能の設定等の変更を手作業で行う必要があるため、煩雑な作業をユーザに強いるという課題がある。
【００１０】
本発明は、上記課題に鑑みてなされたものであり、その目的は、ユーザに煩雑な操作をさせることなく、各地域に応じた機能の設定を行うことができる電子装置、及び電子装置システムを提供することにある。
【課題を解決するための手段】
【００１１】
上記目的を達成するため、請求項１の電子装置は、地域情報が記憶された地域情報記憶手段を備えるポータブル電子装置を装着可能な電子装置において、前記地域情報記憶手段から前記地域情報を取得する取得手段と、前記取得手段により取得した地域情報に応じて機能の設定を切り換える切換手段とを備える、構成としている。
【００１２】
請求項６の電子装置システムは、地域情報を記憶する地域情報記憶手段を備えるポータブル電子装置と、前記ポータブル電子装置が装着可能な電子装置とを備え、前記電子装置は、前記地域情報記憶手段から前記地域情報を取得する取得手段と、前記取得手段により取得した地域情報に応じて機能の設定を切り換える切換手段と備える、構成としている。
【００１３】
請求項７の電子装置は、地域情報を記憶する地域情報記憶手段と、前記地域情報記憶手段から前記地域情報を取得する取得手段と、前記取得手段により取得した地域情報に応じて機能の設定を切り換える切換手段とを備える、構成としている。
【００１４】
かかる構成によれば、地域情報記憶手段から地域情報を取得し、取得した地域情報に応じて機能の設定が切り換えられるので、ユーザに煩雑な操作をさせることなく、各地域に応じた機能の設定を行うことができる。
【発明の効果】
【００１５】
本発明によれば、ユーザに煩雑な操作をさせることなく、各地域に応じた機能の設定を行うことができる。
【発明を実施するための最良の形態】
【００１６】
添付図面を参照しながら本発明の最良の実施例を説明する。但し、本発明の技術範囲は、以下で説明する実施例に限定されるものではなく、特許請求の範囲に記載された発明とその均等物に及ぶものである。
【実施例】
【００１７】
図１（Ａ）、（Ｂ）に電子装置システムの一例である車載システム１の外観を示す。図１（Ａ）、（Ｂ）に示すように車載システム１は、車両に搭載される車載機器１００（電子装置）と、ナビゲーション機能を備えたポータブル機器１０（ポータブル電子装置）とから構成される。ポータブル機器１０は、図１（Ａ）に示すように車載機器１００の前面部１２０（蓋部材）に取り付けて使用したり、図１（Ｂ）に示すように車載機器１００から取り外して使用することができる。
【００１８】
車載機器１００は、ラジオ放送の再生機能や、ＣＤ（Ｃｏｍｐａｃｔ  Ｄｉｓｃ）等の記録媒体に書き込まれた音楽データを再生可能な機器であり、ＣＤ再生部やＣＤ挿排口を有する車載機器本体１１０と、表示部１３１や操作部１３２を有する前面部１２０とを備えている。
【００１９】
ポータブル機器１０は、目的地までの誘導経路を検索し、地図上に検索した誘導経路を重ねて表示するナビゲーションの機能を備えている。
【００２０】
図２は、ポータブル機器１０を車載機器１００から取り外した状態を示す。車載機器１００の前面部１２０には、ポータブル機器１０を装着するための凹部が形成された着脱部１７０が設けられている。この着脱部１７０には、車載機器１００とポータブル機器１０とを電気的に接続するためのコネクタ１５０と、ポータブル機器１０を前面部１２０に固定するためのロック機構（不図示）が設けられている。前面部１２０に設けた取り外しボタン１６０を操作すると、不図示のロック機構が解除され、車載機器１００からポータブル機器１０が取り外し可能となる。
【００２１】
図３には、前面部１２０を車載機器本体１１０に対して傾斜させ、ＣＤ挿排口１８０を露出させた状態を示す。
【００２２】
不図示の駆動機構によって図３に示すスライダー１８１を駆動させることで、前面部１２０を車載機器本体１１０に対してチルト（傾斜）させることができる。チルト動作によって、車載機器本体１１０に設けられたＣＤ挿排口１８０を露出させてＣＤの挿排を行ったり、車載機器１００の表示部１３１や、ポータブル機器１０の表示部１１を視認し易いように調整することができる。車載機器１００の前面部１２０には、操作ボタン（図６に示すチルト／イジェクトボタン１３２ａ）が設けられており、このボタンの操作に応じたチルト角度に設定することができる。
【００２３】
図４は、車載システム１の車両への搭載例を示す。
【００２４】
車載システム１は、例えば図４に示すように、運転席５２と助手席５１とのほぼ中央のダッシュボード部分に配置される。
【００２５】
尚、図示していないが、後述するＧＰＳ情報受信部１３３のＧＰＳアンテナは、ダッシュボード上に配置されているか、又はフロントガラスの車室内側に貼り付けられる。
【００２６】
図５は、車載システム１の概略構成を示すブロック図である。
【００２７】
車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を接続することで、車載機器１００とポータブル機器１０との間で各種信号が送受信されて車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２８】
車載機器１００は、表示部１３１、操作部１３２、ＧＰＳ情報受信部１３３、ラジオ受信部１３４、ＣＤ再生部１３５、音声調整部１３６、メモリ１３７、マイク１３８、外部音声／映像入力部１３９、制御部１４０（制御手段）、コネクタ１５０を備えている。車載機器１００は、エンジンキーがＡｃｃ又はＯＮの位置にあるときに、車両側のバッテリから電力を供給されて動作する。
【００２９】
以下、各部の機能の詳細について説明する。
【００３０】
表示部１３１は、液晶パネルやバックライトを備え、１３セグメント表示によって受信放送周波数、再生楽曲トラックＮｏ、再生楽曲名等を表示する。操作部１３２は、車載機器１００の動作モードを切り換えるための操作や、切り換えた各種モードでの操作を行うためのものである。操作部１３２には、図６に示すようにチルト／イジェクトボタン１３２ａ、ファンクション（以下、ＦＵＮＣと表記する）（又はＦＵＮＣ／ＡＦ）ボタン１３２ｂ、ＴＥＸＴ（又はＴＥＸＴ／ＴＰ）ボタン１３２ｃ、ＳＣＲＥＥＮボタン１３２ｄ、ＳＯＵＲＣＥ／ＰＷＲボタン１３２ｅ、ＭＯＤＥ（又はＭＯＤＥ／ＰＴＹ）ボタン１３２ｆ、ＭＵＴＥボタン１３２ｇ、ＢＡＮＤ切換ボタン１３２ｈ、ロータリーボタン１３２ｉ、十字キー／エンターキーボタン１３２ｊとからなるボタン群を備える。
【００３１】
ここで、ボタン群の操作による制御について説明する。
【００３２】
まず、ＳＯＵＲＣＥ／ＰＷＲボタン１３２ｅの操作によるポータブル機器１０と車載機器１００の表示の切り替えについて説明する。
【００３３】
まず、車載機器１００のＳＯＵＲＣＥ／ＰＷＲボタン１３２ｅを押下することで、車載機器１００がオンされる。また車載機器１００がオンしているときに、ＳＯＵＲＣＥ／ＰＷＲボタン１３２ｅを短押しすることでＣＤ再生やラジオ等のソースの移行が行われる。このとき、車載機器１００の表示部１３１には、選択されたソースにおける情報が表示され、ポータブル機器１０の表示部１１には、ソースに関係なくナビゲーション画像が表示される。
【００３４】
次に、ＳＣＲＥＥＮボタン１３２ｄを押下すると、ポータブル機器１０の表示部１１の表示をナビゲーション画像から車載機器１００で選択されたソースに対応する画像に切り換えることができる。
【００３５】
図７（Ａ）は車載機器１００でＣＤを再生中にポータブル機器１０を装着し、ポータブル機器１０でナビゲーション画像を表示している状態を示している。
【００３６】
図７（Ａ）の状態から、ＳＯＵＲＣＥ／ＰＷＲボタン１３２ｅを押下して、ＣＤ再生からラジオのソースに切換操作を行うと、図７（Ｂ）に示すように、表示部１３１にラジオソースにおける情報が表示される。また、ポータブル機器１０の表示部１１には、ナビゲーション画像が表示されたままである。
【００３７】
次に、ユーザがＳＣＲＥＥＮボタン１３２ｄを押下すると、図７（Ｃ）に示すようにポータブル機器１０の表示部１１に、車載機器１００で処理中のソースに対応する画像が表示される（図７（Ｃ）ではラジオ画像）。ポータブル機器１０の表示部１１には、後述するタッチパネルが設けられており、ユーザはタッチパネルを介して表示部１１に表示される操作ボタンを選択することで、現在処理中のソースに対する操作をすることができる。
【００３８】
また、表示部１１にラジオ画像が表示された状態で、ＳＣＲＥＥＮボタン１３２ｄを押下すると、図７（Ｄ）に示すようにラジオ画面からナビゲーション画像に戻ることができる。ポータブル機器１０が車載機器１００から取り外されている状態では、ＳＣＲＥＥＮボタン１３２ｄの操作は無効となる。
【００３９】
また、ポータブル機器１０が車載機器１００から取り外されている状態で、外部音声／映像入力部１３９にＵＳＢ（Universal Serial Bus）等が接続された場合には、ＳＯＵＲＣＥ／ＰＷＲボタン１３２ｅを押下しても、ＵＳＢのソースには切り換わらないようにすることもできる。
【００４０】
次に、チルト／イジェクトボタン１３２ａの操作による前面部１２０のチルト動作について説明する。
【００４１】
チルト／イジェクトボタン１３２ａが第１の態様（例えば、短押し）で操作されると、前面部１２０は、ＣＤ挿排口１８０が露出される角度まで、前面部１２０がチルトされ、第２の態様（例えば、長押し）で操作されると、所定角度づつ前面部１２０がチルトする。
【００４２】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が装着された車載機器１００が搭載される車両の位置が割り出される。
【００４３】
尚、ＧＰＳ情報受信部１３３で受信したＧＰＳ信号を制御部２０を介さずに、制御部２０を介してポータブル機器１０のナビゲーション部１９に出力するようにしてもよいし、ＧＰＳ情報受信部１３３をＧＰＳアンテナのみで構成し、ＧＰＳアンテナで受信したＧＰＳ信号を、制御部１４０及び制御部２０を介さず、後述するＧＰＳ情報受信部１３のチューナに出力するようにしてもよいし、制御部２０は介するが、制御部１４０を介さずＧＰＳ情報受信部１３のチューナに出力するようにしてもよい等、適宜変更が可能である。
【００４４】
ラジオ受信部１３４は、アンテナ１３４ａとチューナ部１３４ｂとを有しており、アンテナ１３４ａは、ＡＭ放送、ＦＭ放送、多重放送等の放送波を受信し、チューナ部１３４ｂは、アンテナ１３４で受信した放送波を復調し、音声信号や多重信号等の復調信号を制御部１４０に出力する。
【００４５】
ＣＤ再生部１３５は、ＣＤに記録されたデータを再生し、再生信号を制御部１４０に出力する。尚、チューナ部１３４ｂから出力される復調信号を制御部１４０を介さずに、後述する音声調整部１３６に出力するようにしてもよい。
【００４６】
音声調整部１３６は、ラジオ受信部１３４で受信、復調された音声信号や、ＣＤ再生部１３５で再生された音声信号に、音量調整や音質調整等の信号処理をしてスピーカ１４５に出力する。
【００４７】
メモリ１３７（記憶手段）は、データの読み出しと書き込みとが可能なＲＡＭ（Ｒａｎｄｏｍ  Ａｃｃｅｓｓ  Ｍｅｍｏｒｙ）で構成することができ、制御のために必要な情報、例えば、後述する地域情報と、ボタンに割り当てられている機能等とを関連づけたテーブル情報等を記憶している。マイク１３８は、ハンズフリー通話を行うためのものであって、車室内のユーザの音声を取り込む。
【００４８】
外部音声／映像入力部１３９は、ＵＳＢメモリや、携帯型オーディオ装置等の外部機器との接続端子を備え、外部機器からの音声信号やデータを入力して制御部１４０に送り、制御部１４０からの制御信号、音声信号、データ等を接続した外部機器に出力する。
【００４９】
制御部１４０（取得手段、切換手段）は、操作部１３２の操作に従って、ラジオ受信部１３４、ＣＤ再生部１３５、音声調整部１３６などを制御する。
【００５０】
また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。尚、マイク１３８で入力された音声信号を、制御部１４０を介さずに、コネクタ１５０を介してポータブル機器１０に出力してもよい。また、制御部１４０は、ポータブル機器１０と接続された携帯電話からの通話音声をコネクタ１５０を介して入力し、音声調整部１３６を介してスピーカ１４５に出力する。
【００５１】
さらに、制御部１４０は、ポータブル機器１０の表示部１１に表示される、各種モードのメニュー画像に対する操作信号をポータブル機器１０の制御部２０から取得し、ラジオ受信部１３４やＣＤ再生部１３５の制御を行う。
【００５２】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。尚、車速パルスが入力されない構成でもよい。
【００５３】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、読取部２１、及びコネクタ３０を備えている。
【００５４】
以下、各部の機能の詳細について説明する。
【００５５】
表示部１１は、液晶パネルとバックライトとを備え、ナビゲーション部１９で生成された地図情報や目的地までの誘導経路情報、また車載機器１００から転送された受信放送周波数、再生楽曲トラックＮｏ、再生楽曲名等を表示することができる。表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００５６】
操作部１２は、タッチパネルや、ポータブル機器１０の電源をオン、オフするための電源ボタン５５（図８（Ａ）参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００５７】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自車位置が割り出される。なお、車載装置１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００５８】
スピーカ１４は、ナビゲーション部１９からの音声情報を出力するためのものであり、ポータブル機器１０が車載機器１００から取り外された状態、つまり単体で使用されるときに、音声情報を出力する。
【００５９】
蓄電池１５は、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット（図８（Ａ）参照）を介して接続端末から電力の供給を受けて、蓄電池１５を充電することができる。
【００６０】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００６１】
メモリ１８は、例えば読み出しと書き込みとが可能なＲＡＭであり、各制御のために読み出された情報を一時的に記憶しておく。
【００６２】
ナビゲーション部１９は、ナビゲーションのために利用される地図情報を記憶した後述するＳＤカードやＵＳＢメモリ等で構成される可搬性記憶媒体（地域情報記憶手段）から取得し、記憶する地図情報記憶部を備え、ＧＰＳ情報受信部１３３、又は１３からのＧＰＳ信号によって現在位置情報を割り出し、ナビゲーション動作のための画像を作成する。作成した地図は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。
【００６３】
尚、地図情報はポータブル機器１０内のメモリ１８等に保持していてもよい。この場合、地図情報が記憶されるメモリが地域情報記憶手段に相当する。
【００６４】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４やＣＤ再生部１３５を制御する。
【００６５】
読取部２１は、後述するＳＤ（Ｓｅｃｕｒｅ  Ｄｉｇｉｔａｌ）メモリカードスロット５６やＵＳＢスロット５７を備えている（図８（Ａ）参照）。読取部２１は、ＳＤメモリカードスロット５６に差し込まれたＳＤカードやＵＳＢスロット５７に差し込まれたＵＳＢメモリから地図情報などを読み取る。
【００６６】
図８（Ａ）に、ポータブル機器１０の正面図、上面図、下面図、左側面図、右側面図を示し、図８（Ｂ）にポータブル機器１０の背面図を示す。
【００６７】
ポータブル機器１０の上面には、ポータブル機器の電源をオン、オフさせる電源ボタン５５が設けられており、下面には、ＳＤ（Ｓｅｃｕｒｅ  Ｄｉｇｉｔａｌ）メモリカードスロット５６、ＵＳＢスロット５７が設けられている。地図情報が記憶されたＳＤカードやＵＳＢメモリをこれらのスロットに差し込むことで、制御部２０は、ＳＤカードやＵＳＢメモリから地図情報を読み出し、ナビゲーション部１９に地図情報を出力する。
【００６８】
ポータブル機器１０の電源は、ポータブル機器を車載機器１００に装着したときには、車載機器１００からの制御によって電源がオン、オフされる。また、車載機器１００から取り外してポータブル機器１０を単体で使用する場合には、電源ボタン５５のオン、オフ操作に基づいて電源が操作される。
【００６９】
さらに、ポータブル機器１０の背面側には、車載機器１００との電気的な接続をとるためのコネクタ３０と、車載機器１００側に設けたロック機構（不図示）と係合する係合部５８とが設けられている。
【００７０】
図９は、図１（Ａ）で示した車載機器１００およびポータブル機器１０の外観の模式図に相当する実際の外観図である。図１（Ｂ）と同じ構成は同じ番号を付し説明を省略する。
【００７１】
図１０（Ａ）は、ＳＤメモリカードスロット５６に差し込まれるＳＤカードに記録された情報の概略構成を示し、図１０（Ｂ）は仕向地、地図エリア情報及び地図情報の関係を示す図である。
【００７２】
図１０（Ａ）に示すように、ＳＤカードには、地図エリア情報（地域情報）及び地図情報が１つづつ記録されている。地図エリア情報は、記録されている地図情報の地域を示す情報である。また、図１０（Ｂ）に示すように、地図エリア情報は「０ｘ００」のような１バイトのデータで構成されており、例えば、仕向地が北米の場合には、ＳＤカードは、地図エリア情報として「０ｘ０１」を、地図情報として「北米地図情報」を記録している。尚、図９（Ｂ）の例では、仕向地が日本、北米、ヨーロッパ、及びオーストラリアの例を示したが、中国、韓国、南米などの他の国や地域の地図エリア情報及び地図情報をＳＤカードに記録してもよい。
【００７３】
また、地図エリア情報及び地図情報は、インターネット等を介してダウンロードすることにより、書き換えることも可能である。つまり、使用する地域の地図エリア情報及び地図情報をダウンロードしてＳＤカードの情報を書き換えることにより、使用する地域を変更してもナビゲーション機能を実現できる。
【００７４】
図１１は、車載機器１００のメモリ１３７が備えるテーブル情報の一例を示す図である。
【００７５】
このテーブル情報は、地図エリア情報、周波数帯、シーク（ｓｅｅｋ）ステップ、シーク感度、プリセットチャンネル（ＣＨ）及びボタンに割り当てる機能の項目で構成されている。周波数帯の項目には、各地図エリア情報に対応するＡＭ及びＦＭのラジオの周波数帯が記録されている。
【００７６】
シークステップの項目には、１ステップ毎に増減する周波数の数値が記録されている。例えば、同図において、地図エリア情報が「０ｘ００」であり且つ周波数帯が「ＡＭ：５２２−１６２９ｋＨｚ」のシークステップは「９ｋＨｚ」であり、これは、図６の十字キー／エンターキーボタン１３２ｊの右側を押下する度に、受信するラジオの周波数が９ｋＨｚ増加すること及び図６の十字キー／エンターキーボタン１３２ｊの左側を押下する度に、受信するラジオの周波数が９ｋＨｚ減少することを示している。この増減する９ｋＨｚ幅の周波数帯に放送局の周波数が含まれる場合には、ラジオ受信部１３４がその放送局から発信される電波を受信する。
【００７７】
シーク感度の項目は、「ＡＵＴＯ」又は「ＦＩＸ」の文字が記録されている。「ＡＵＴＯ」は、電波を受信するモードを自動で切り換えることを示す。電波を受信するモードは、近距離の放送局から発信される電波を受信するローカルモードと遠距離の放送局から発信される電波を受信するＤｘモードとがある。「ＦＩＸ」は電波を受信するモードがＤｘモードに固定されていることを示す。
【００７８】
プリセットＣＨの項目は、各チャンネルのボタンに割り当てられている周波数が記録されている。チャンネルのボタンは図７（Ｃ）に示すように、タッチパネル式のポータブル機器１０の表示部１１に表示される。
【００７９】
ボタンの割り当て機能の項目は、各ボタンに割り当てられる機能が記録されている。つまり、地図エリア情報が「０ｘ００」では、ＦＵＮＣボタン１３２ｂはＦＵＮＣ切換（機能の切換）を指示するためのボタンとなるが、地図エリア情報が「０ｘ０２」では、ＦＵＮＣボタン１３２ｂが、ＦＵＮＣ／ＡＦボタン１３２ｂとなり、短押（例えば、１．７秒未満）の操作ではＦＵＮＣ（例えば、オートプリセットモード、スキャンモード等）切換を指示し、長押（例えば、１．７秒以上）の操作ではＡＦサーチ（ネットワークフォロー）を指示するためのボタンとなる。また、地図エリア情報が「０ｘ００」では、ＴＥＸＴボタン１３２ｃはＣＤのＴＥＸＴ情報等の表示情報の切換を指示するためのボタンとなるが、地図エリア情報が「０ｘ０２」では、ＴＥＸＴボタン１３２ｃが、ＴＥＸＴ／ＴＰボタン１３２ｃとなり、短押（例えば、１．７秒未満）の操作ではＴＰモード（交通情報受信待受モード）を指示し、長押（例えば、１．７秒以上）の操作ではＣＤのＴＥＸＴ情報等の表示情報の切換を指示するためのボタンとなる。さらに、地図エリア情報が「０ｘ００」では、ＭＯＤＥボタン１３２ｆは車載機器１００のＭＯＤＥ（例えば、プリセットＣＨ選択モード、選局モード）のＯＮ／ＯＦＦを指示するためのボタンとなるが、地図エリア情報が「０ｘ０２」では、ＭＯＤＥボタン１３２ｆが、ＭＯＤＥ／ＰＴＹボタン１３２ｆとなり、短押（例えば、１．７秒未満）の操作ではＭＯＤＥのＯＮ／ＯＦＦを指示し、長押（例えば、１．７秒以上）の操作ではＰＴＹサーチのためのＰＴＹコードを選択するためのボタンとなる。
【００８０】
尚、地図エリア情報、周波数帯、シークステップ、シーク感度、プリセッＣＨ、及びボタンに割り当てられる機能の項目は、操作部１２又は操作部１３２を利用して、編集することができる。また、各地図エリア情報に対応して割り当てられる項目、及び各項目に割り当てられる数値、機能等はこれに限定されるものではない。
【００８１】
図１２は、車載機器１００の制御部１４０が実行する設定切換処理を示すフローチャートである。
【００８２】
制御部１４０が、車載機器１００の電源がＯＮ状態になったことを検出すると、図１２の処理が開示され、車載機器１００の電源がＯＮ状態の間、本処理を繰り返す。
【００８３】
まず、制御部１４０は、ポータブル機器１０の車載機器１００への装着状態の変化を判別する（ステップＳ１）。装着状態の変化の判別方法は、具体的には、制御部１４０が制御部２０に対して接続信号を定期的に又は任意のタイミングで送信し、制御部１４０が、前回の送信時には制御部２０からレスポンスを受信していたが、今回の送信時には制御部２０からレスポンスを受信しない場合には、ポータブル機器１０が車載機器１００から取り外された（装着→非装着）と判断し、逆に、前回の送信時には制御部２０からレスポンスを受信していなかったが、今回の送信時には制御部２０からレスポンスを受信した場合には、ポータブル機器１０が車載機器１００に装着された（非装着→装着）と判断する。
【００８４】
尚、装着状態の変化の判別方法は、前述の取り外しボタン１６０の操作状態を検出したり、装着状態の変化を検出するための構成を別途設ける等、適宜変更可能である。
【００８５】
制御部１４０は、ステップＳ１において、装着状態が装着から非装着に変化、又は変化無と判別した場合には、ステップＳ１を繰り返し、装着状態が非装着から装着に変化したと判別した場合には、ポータブル機器１０の制御部２０に対してＳＤカードに記録されている地図エリア情報の送信を要求し（ステップＳ２）、ポータブル機器１０の制御部２０から地図エリア情報を取得できるまで待機する（ステップＳ３）。
【００８６】
ポータブル機器１０の制御部２０は、車載機器１００の制御部１４０からの地図エリア情報の送信要求を受けて、読取部２１を介してＳＤカードに記録されている地図エリア情報を読み出して、制御部１４０に送信する。
【００８７】
制御部１４０は、ポータブル機器１０の制御部２０から地図エリア情報を取得すると、メモリ１３７に記憶されている地図エリア情報と、ポータブル機器１０の制御部１２０から取得した地図エリア情報を比較する（ステップＳ４）。尚、出荷時には、メモリ１３７に前述の比較のための地図エリア情報が記憶されていないものとする。
【００８８】
制御部１４０は、ポータブル機器１０の制御部２０から取得した地図エリア情報と、メモリ１３７に記憶されている比較のための地図エリア情報とが異なる場合には、メモリ１３７に記憶されている図１１に示すテーブル情報に含まれる地図エリア情報のうち、取得した地図エリア情報と一致する地図エリア情報を確定し、現在の操作部１３２及びチューナ部１３４ｂの設定をこの確定された地図エリア情報に対応する、新たな操作部１３２及びチューナ部１３４ｂの設定に切り換え、メモリ１３７に、確定した地図エリア情報を前述の比較のための地図エリア情報として記憶し（ステップＳ５）、ステップＳ１に戻る。操作部１３２及びチューナ部１３４ｂの設定とは、ボタンに割り当てられた機能の設定及びラジオ機能の設定であり、具体的には、図７（Ｃ）のチャンネルのボタン（プリセットボタン）に割り当てられた周波数の設定、及び図１１のＡＭ／ＦＭラジオの周波数帯、シークステップ、シーク感度、及びボタンに割り当てられる機能等の設定である。
【００８９】
また、制御部１４０が、ステップＳ４において、ポータブル機器１０の制御部２０から取得した地図エリア情報と、メモリ１３７に記憶されている比較のための地図エリア情報とが一致する場合には、ステップＳ１に戻る。
【００９０】
尚、取得した地図エリア情報と、メモリ１３７に記憶している比較用の地図エリア情報の比較を行わず、取得した地図エリア情報に基づいて、機能等の設定を行うようにしてもよい。この場合は、メモリ１３７に比較用の地図エリア情報を記憶する必要はない。また、出荷時にメモリ１３７に仕向先の地図エリア情報を記憶させておくと共に、ボタン等の設定を仕向先に対応する設定としてもよい。
【００９１】
以上詳細に説明したように、本実施例によれば、ポータブル機器１０の装着が検出された場合に、制御部１４０は、自動的にポータブル機器１０に差し込まれたＳＤカードに含まれる地図エリア情報の送信を要求して、ポータブル機器１０から地図エリア情報を受信し、受信された地図エリア情報に応じて車載機器１００の機能の設定を切り換えるので、ユーザに煩雑な操作をさせることなく、各地域に応じた機能の設定を行うことができる。
【００９２】
また、地図エリア情報と、ラジオ機能の設定と、ボタンに割り当てられる機能の設定とを関連付けてテーブル情報としてメモリ１３７に記憶し、取得した地図エリア情報と上記テーブル情報内の地図エリア情報とが一致する場合に、現在の機能の設定が、当該一致した地図エリア情報に対応する、ラジオ機能の設定及びボタンに割り当てられる機能等の設定に切り換えられるので、ユーザに煩雑な操作をさせることなく、各地域に応じた、ラジオ機能の設定及びボタンに割り当てられる機能の設定を行うことができる。
【００９３】
さらに、ラジオ機能の設定は、ＡＭ／ＦＭラジオの周波数帯、シークステップ及びシーク感度の設定を含み、ボタンに割り当てられる機能の設定は、チャンネルのボタンに割り当てられた周波数の設定や、各地域特有の機能の設定等を含むので、ユーザに煩雑な操作をさせることなく、各地域に応じた、ＡＭ／ＦＭラジオの周波数帯、シークステップ及びシーク感度の設定、プリセットチャンネルに割り当てられる周波数の設定、ボタンに割り当てられる機能の設定等を行うことができる。
【００９４】
また、地図エリア情報は、記憶されている地図情報の地域を示す情報であるので、ユーザに煩雑な操作をさせることなく、ナビゲーション機能で使用される地図情報の地域に応じた機能の設定を行うことができる。
【００９５】
上記実施例では、地図エリア情報に対応する仕向地は、日本、北米、ヨーロッパ、及びオーストラリア等の国や地域であったが、東京、大阪、ニューヨーク、パリ、及びシドニーなどの都市でもよい。
【００９６】
また、本実施例では、ＳＤカードが地図エリア情報及び地図情報を含んでいたが、地図エリア情報及び地図情報を含む記憶媒体は、これに限定されず、ＵＳＢメモリやコンパクトフラッシュ（登録商標）などポータブル機器１０で読み取り可能な記憶媒体であればよいし、ポータブル機器１０内に地図エリア情報及び地図情報を記憶するハードディスクを備える構成であってもよい。
【００９７】
また、本実施例では、ポータブル機器１０の制御部２０を介して地図エリア情報を取得するようにしていたが、制御部１４０が直接取得するようにしてもよい。さらに、ポータブル機器１０がポータブルナビゲーターである例について説明したが、本発明は、これに限られず、ナビゲーション機能付携帯電話、ナビゲーション機能付携帯端末（ＰＤＡ）等であってもよい。
【００９８】
上記実施例では、ラジオ受信部の設定変更について説明したが、設定変更される対象は、これに限定されるものではない。
【００９９】
本実施例では、ポータブル機器１０と車載機器１００とからなる車載システム１について説明したが、ポータブル機器１０を備えず、車載機器１００単体で機能するナビゲーション装置であってもよく、この場合は、当該ナビゲーション装置が使用する地図ディスク（ＣＤ、ＤＶＤ）や、ハードディスク等に地図エリア情報及び地図情報を記録し、ナビゲーション装置の制御部が地図ディスクやハードディスクに記録されている地図エリア情報を取得する構成にすることにより、地図ディスクを変更する、又はハードディスクを交換する若しくは書き換えることで、本実施例と同様に効果が得られる。
【０１００】
また、ナビゲーション機能を備える携帯機器単体でも、内部に備えたり、装着される、地図情報が記録されるメモリ等に、地図情報と共に地図エリア情報を書き換え可能に記録しておけば、前述のナビゲーション装置と同様に、本実施例と同様の効果が得られる。
【０１０１】
更に、ＣＤ挿排口及びＣＤ再生部の代わりに、ＭＤ、ＤＶＤ、ＳＤカード等の他の記憶媒体の挿排口及び再生部を設ける構成にしてもよいし、複数種の記憶媒体の挿排口及び再生部を設ける構成にしてもよい。
【０１０２】
本実施例では、１つのボタンに複数の機能を割り当てているが、各ボタンに１つの機能を割り当てるようにしてもよい。また、地図エリア情報を取得するタイミング、機能の設定を変更するタイミング等は、適宜変更可能である。
【０１０３】
車載機器１００の機能を実現するためのソフトウェアのプログラムが記録されている記録媒体を、車載機器１００に供給し、車載機器１００のコンピュータ（即ち、制御部１４０）が記憶媒体に格納されたプログラムを読み出し実行することによっても、上記実施例と同様の効果を奏する。プログラムを供給するための記憶媒体としては、例えば、ＣＤ−ＲＯＭ、ＤＶＤ、及びＳＤカードなどがある。
【０１０４】
また、車載機器１００のコンピュータ（即ち、制御部１４０）が、車載機器１００の機能を実現するためのソフトウェアのプログラムを実行することによっても、上記実施例と同様の効果を奏する。
【０１０５】
上述した実施例は本発明の好適な実施の一例である。但し、これに限定されるものではなく、本発明の要旨を逸脱しない範囲内において種々変形実施可能である。
【図面の簡単な説明】
【０１０６】
【図１】（Ａ）及び（Ｂ）は車載システムの外観をそれぞれ示す図である。
【図２】車載機器から取り外されたポータブル機器を示す図である。
【図３】車載機器の前面部を車載機器本体に対して傾斜させ、ＣＤ挿排口を露出させた状態を示す図である。
【図４】車載システムの車両への搭載例を示す図である。
【図５】車載システムの概略構成を示すブロック図である。
【図６】車載機器の前面部の一例を示す図である。
【図７】（Ａ）から（Ｄ）は、車載機器の表示部及びポータブル機器の表示部で表示される表示内容の変遷を示す図である。
【図８】（Ａ）は、ポータブル機器の正面図、上面図、下面図、左側面図、及び右側面図であり、（Ｂ）はポータブル機器の背面図である。
【図９】ポータブル機器を車載機器から取り外した状態を詳細に示す図である。
【図１０】（Ａ）は、ＳＤメモリカードスロットに差し込まれるＳＤカードに記録された情報の概略構成を示し、（Ｂ）は仕向地、地図エリア情報及び地図情報の関係を示す図である。
【図１１】車載機器のメモリが備えるテーブル情報の一例を示す図である。
【図１２】車載機器の制御部が実行する設定切換処理を示すフローチャートである。
【符号の説明】
【０１０７】
１０  ポータブル機器
１８  メモリ
１９  ナビゲーション部
２０  制御部
２１  読取部
１００  車載機器
１３２  操作部
１３４  ラジオ受信部
１３５  ＣＤ再生部
１３７  メモリ（記憶手段）
１４０  制御部（取得手段、切換手段）
【図１】
2008191016.tif 000003
【図２】
2008191016.tif 000004
【図３】
2008191016.tif 000005
【図４】
2008191016.tif 000006
【図５】
2008191016.tif 000007
【図６】
2008191016.tif 000008
【図７】
2008191016.tif 000009
【図８】
2008191016.tif 000010
【図９】
2008191016.tif 000011
【図１０】
2008191016.tif 000012
【図１１】
2008191016.tif 000013
【図１２】
2008191016.tif 000014